【手続補正書】
【提出日】平成21年4月17日(2009.4.17)
【手続補正１】
【補正対象書類名】特許請求の範囲
【補正対象項目名】全文
【補正方法】変更
【補正の内容】
【特許請求の範囲】
【請求項１】
ソース無線接続ネットワーク要素からコアネットワークを介してターゲット無線接続ネットワーク要素へ１又は複数の第１メッセージを送信するステップであって，前記１又は複数の第１メッセージは，回線交換リソース及びパケット交換リソース双方が，前記ソース無線接続ネットワーク要素から前記ターゲット無線接続ネットワーク要素へハンドオーバされること示すステップと，
前記コアネットワークを介して前記ターゲット無線接続ネットワーク要素から１又は複数の第２メッセージを受信するステップであって，前記１又は複数の第２メッセージは，パケット交換及び回線交換結合ハンドオーバに対応する１又は複数のハンドオーバコマンドを示すステップと，
を有する方法。
【請求項２】
パケット交換手続及び回線交換手続を並行して用いて，前記パケット交換リソース及び前記回線交換リソース双方のハンドオーバを実行する請求項１に記載の方法。
【請求項３】
前記ソース無線接続ネットワーク要素から前記コアネットワークへ送信されるメッセージは，前記パケット交換リソース及び前記回線交換リソースがハンドオーバされることを示し，前記ソース無線接続ネットワーク要素が前記コアネットワークから受信するハンドオーバコマンドメッセージ及びパケット交換ハンドオーバ必須肯定応答メッセージは共に，前記ターゲット無線接続ネットワーク要素においてパケット交換リソース及び回線交換リソースが結合ハンドオーバのために利用できることを示す請求項２に記載の方法。
【請求項４】
前記ソース無線接続ネットワーク要素は，ハンドオーバコマンドメッセージを移動機に送信できるように，前記回線交換ハンドオーバコマンドメッセージ及び前記パケット交換ハンドオーバ必須肯定応答メッセージ双方が到着するまでの時間だけ待機する請求項３に記載の方法。
【請求項５】
前記ソース無線接続ネットワーク要素は，前記回線交換コマンドメッセージ及び前記パケット交換ハンドオーバ必須肯定応答メッセージのうち最初のメッセージが到着したとき，タイマを始動する請求項４に記載の方法。
【請求項６】
前記ソース無線接続ネットワーク要素は，前記回線交換コマンドメッセージ及び前記パケット交換ハンドオーバ必須肯定応答メッセージのうち２番目のメッセージが到着したとき，タイマを停止させる請求項５に記載の方法。
【請求項７】
前記ソース無線接続ネットワーク要素から送信される前記１又は複数の第１メッセージは，前記回線交換リソース及び前記パケット交換リソース双方がハンドオーバされたことを示す単一メッセージを含む請求項１に記載の方法。
【請求項８】
前記ソース無線接続ネットワーク要素から送信される前記１又は複数の第１メッセージは，前記パケット交換リソースが前記コアネットワークへ透過的に送信されたことを示す単一メッセージを含む請求項１に記載の方法。
【請求項９】
前記ソース無線接続ネットワーク要素から送信された前記単一メッセージは，旧経路制御エリアコードに関連する情報を含む請求項７に記載の方法。
【請求項１０】
前記ソース無線接続ネットワーク要素から送信された前記単一メッセージは，移動機の国際移動体通信加入者識別情報を示す請求項７に記載の方法。
【請求項１１】
前記の送信ステップは，前記ソース無線接続ネットワーク要素から送信される前記単一メッセージによって，旧一時論理リンク識別情報に関係する情報を送信するステップを含む請求項７に記載の方法。
【請求項１２】
前記ソース無線接続ネットワーク要素と移動機との間の無線インタフェースを介して，前記ソース無線接続ネットワーク要素から前記移動機へハンドオーバコマンドメッセージを送信するステップを更に有する請求項１に記載の方法。
【請求項１３】
ソース無線接続ネットワーク要素からターゲット無線接続ネットワーク要素へ，コアネットワークを介して１又は複数の第１メッセージを送信する送信器であって，前記１又は複数の第１メッセージは，回線交換リソース及びパケット交換リソース双方が，前記ソース無線接続ネットワーク要素から前記ターゲット無線接続ネットワーク要素へハンドオーバされることを示す送信器と，
前記ターゲット無線接続ネットワーク要素から前記コアネットワークを介して１又は複数の第２メッセージを受信する受信器であって，前記１又は複数の第２メッセージはパケット交換及び回線交換結合ハンドオーバに対応する１又は複数のハンドオーバコマンドを示す受信器と，
を備えるソース無線接続ネットワーク要素。
【請求項１４】
前記コアネットワークからの前記１又は複数の第２メッセージのうち最初に到着したメッセージに応答して時間測定を開始し，前記１又は複数の第２メッセージのうち２番目に到着したメッセージに応答して停止させるタイマを更に備える請求項１３に記載のソース無線接続ネットワーク要素。
【請求項１５】
前記送信器はまた，前記ソース無線接続ネットワーク要素から移動機へ，前記ソース無線接続ネットワーク要素と前記移動機との間の無線インタフェースを介して，前記回線交換リソース及び前記パケット交換リソース双方のハンドオーバを指示するハンドオーバコマンドメッセージを送信するためのものであって，前記時間測定が期限に到達する前に前記タイマが停止したときは，その後前記回線交換リソースのハンドオーバだけが実行される請求項１４に記載のソース無線接続ネットワーク要素。
【請求項１６】
ターゲット無線接続ネットワーク要素において実行される方法であって，
前記ターゲット無線接続ネットワーク要素が，ソース無線接続ネットワーク要素からコアネットワークを介して１又は複数の第１メッセージを受信するステップであって，前記１又は複数の第１メッセージは，回線交換リソース及びパケット交換リソース双方が，前記ソース無線接続ネットワーク要素から前記ターゲット無線接続ネットワーク要素へハンドオーバされることを示すステップと，
前記ターゲット無線接続ネットワーク要素から前記ソース無線接続ネットワーク要素へ前記コアネットワークを介して，前記１又は複数の第１メッセージの受信を肯定応答する１又は複数の第２メッセージを送信するステップと，
を有する方法。
【請求項１７】
前記ターゲット無線接続ネットワーク要素は，前記回線交換リソース及び前記パケット交換リソースを割り当てることができるように，前記コアネットワークを介して前記ターゲット無線接続ネットワーク要素から前記１又は複数の第1メッセージを受信する時間だけ待機する請求項１６に記載の方法。
【請求項１８】
前記１又は複数の第１メッセージ及び前記１又は複数の第２メッセージは一対のハンドオーバ要求メッセージを含み，前記一対のハンドオーバ要求メッセージのうち最初のメッセージが前記コアネットワークから到着したとき，前記ターゲット無線接続ネットワーク要素がタイマを始動するステップを更に有する請求項１６に記載の方法。
【請求項１９】
前記ターゲット無線接続ネットワーク要素は，前記一対のハンドオーバ要求メッセージのうち２番目のメッセージが前記コアネットワークから到着したとき，前記タイマを停止させる請求項１８に記載の方法。
【請求項２０】
前記ターゲット無線接続ネットワーク要素から前記コアネットワークへ，前記ターゲット無線接続ネットワーク要素における前記パケット交換リソースの可用性を示すメッセージを送信するステップを更に有する請求項１６に記載の方法。
【請求項２１】
パケットフローコンテキストをダウンロードするために，前記ターゲット無線接続ネットワーク要素から前記コアネットワークへダウンロードパケットフローコンテキストメッセージを送信するステップを更に有する請求項１６に記載の方法。
【請求項２２】
前記ターゲット無線接続ネットワーク要素から送信される前記ダウンロードパケットフローコンテキストメッセージは，前記パケットフローコンテキストをダウンロードするために必要な複数のパラメータを含む請求項２１に記載の方法。
【請求項２３】
強化コンテキスト要求メッセージに応答して，前記旧サービス提供サポートノードから前記新サービス提供サポートノードへ，パケットデータプロトコルコンテキスト及び移動管理コンテキストを含む強化コンテキスト応答メッセージを送信するステップを更に有する請求項２１に記載の方法。
【請求項２４】
ソース無線接続ネットワーク要素からコアネットワークを介して１又は複数の第１メッセージを受信する受信器であって，前記１又は複数の第１メッセージは，回線交換リソース及びパケット交換リソース双方が，前記ソース無線接続ネットワーク要素からターゲット無線接続ネットワーク要素へハンドオーバされることを示す受信器と，
前記ソース無線接続ネットワーク要素が，該ソース無線接続ネットワーク要素と移動機との間の無線インタフェースを介してハンドオーバコマンドメッセージを前記移動機へ送信する前に，前記ターゲット無線接続ネットワーク要素から前記ソース無線接続ネットワーク要素へ前記コアネットワークを介して１又は複数の第２メッセージを送信する送信器であって，前記１又は複数の第２メッセージは前記１又は複数の第１メッセージの受信を肯定応答する送信器と，
を備えるターゲット無線接続ネットワーク要素。
【請求項２５】
無線接続ネットワーク要素であって，
ソース無線接続ネットワーク要素として動作するときは，コアネットワークを介してターゲット無線接続ネットワーク要素へ１又は複数の第１メッセージを送信する送信器であって，前記１又は複数の第１メッセージは回線交換リソース及びパケット交換リソース双方が，前記ソース無線接続ネットワーク要素から前記ターゲット無線接続ネットワーク要素へハンドオーバされたことを示す送信器と，
前記ターゲット無線接続ネットワーク要素から前記コアネットワークを介して１又は複数の第２メッセージを受信する受信器であって，前記１又は複数の第２メッセージは前記１又は複数の第１メッセージの受信を示す受信器と，
を備え，
前記受信器は，ターゲット無線接続ネットワーク要素として動作するときは，ソース無線接続ネットワーク要素から前記コアネットワークを介して前記１又は複数の第１メッセージを受信し，
前記送信器は，前記ソース無線接続ネットワーク要素が結合ハンドオーバのために前記ソース無線接続ネットワーク要素と移動機との間の無線インタフェースを介して前記移動機にハンドオーバコマンドメッセージを送信する前に，前記コアネットワークを介して前記ソース無線接続ネットワーク要素へ前記１又は複数の第２メッセージを送信する，
無線接続ネットワーク要素。
【請求項２６】
前記のターゲット無線接続ネットワーク要素として動作する場合は，前記１又は複数のメッセージのうち最初のメッセージに応答して期限の測定を開始するために用いるタイマであって，前記期限に到達する前に，前記コアネットワークを介して前記ソース無線接続ネットワーク要素から前記１又は複数の第１メッセージのうち２番目のメッセージを受信することを前記結合ハンドオーバの実行条件とするタイマを更に備える請求項２５に記載の無線接続ネットワーク要素。
【請求項２７】
前記のソース無線接続ネットワーク要素として動作する場合は，前記ターゲット無線接続ネットワーク要素から前記コアネットワークを介して前記１又は複数の第２メッセージのうち最初のメッセージを受信することに応答して，第２の期限の測定を開始するために用いる第２タイマであって，その期限以降前記ソース無線接続ネットワーク要素が前記コアネットワークを介して前記ターゲット無線接続ネットワーク要素へ前記１又は複数の第１メッセージを繰り返し送信するタイマを更に備える請求項２６に記載の無線接続ネットワーク要素。
【請求項２８】
請求項１に記載の方法を実行する命令を有する計算機可読媒体上に記憶された計算機プログラム。
【請求項２９】
請求項１６に記載の方法を実行する命令を有する計算機可読媒体上に記憶された計算機プログラム。
【請求項３０】
移動機であって，
ソース無線接続ネットワーク要素と前記移動機との間の無線インタフェースを介して前記ソース無線接続ネットワーク要素から受信するハンドオーバコマンドメッセージに応答する受信器と，
ハンドオーバを実行するために，前記受信器と共にターゲット無線接続ネットワーク要素と信号を交換するための送信器とを備え，
前記ハンドオーバコマンドメッセージの受信に先立って，（ａ）前記ソース無線接続ネットワーク要素が，コアネットワークを介して前記ターゲット無線接続ネットワーク要素へ，回線交換リソース及びパケット交換リソース双方が前記ソース無線ネットワーク要素から前記ターゲット無線接続ネットワーク要素にハンドオーバされることを示す１又は複数のハンドオーバ必須メッセージを送信し，（ｂ）前記ターゲット無線接続ネットワーク要素が，前記コアネットワークに前記１又は複数のハンドオーバ必須メッセージの受信を示す１又は複数の肯定応答メッセージを送信する移動機。
【請求項３１】
前記１又は複数のハンドオーバ必須メッセージの，前記コアネットワークを介して前記ターゲット無線接続ネットワーク要素への送信と，パケット交換リソース及び回線交換リソース双方が結合ハンドオーバのために利用可能であることを示す１又は複数のハンドオーバコマンドメッセージの前記コアネットワークから前記ターゲット無線接続ネットワーク要素を介しての受信と，の間で測定される期限内に結合ハンドオーバが実行され，その期限後は前記結合ハンドオーバは実行されず，前記回線交換リソースだけが実行される請求項３０に記載の移動機。
【請求項３２】
（ａ）無線接続ネットワーク要素であって，
（ｉ）ソース無線接続ネットワーク要素として動作するとき，コアネットワークを介してターゲット無線接続ネットワーク要素へ１又は複数の第１メッセージを送信する，前記無線接続ネットワーク要素が用いる送信器であって，前記１又は複数の第１メッセージは，回線交換リソース及びパケット交換リソース双方が前記ソース無線接続ネットワーク要素から前記ターゲット無線接続ネットワーク要素へハンドオーバされることを示す送信器，及び前記コアネットワークを介して前記ターゲット無線接続ネットワーク要素から１又は複数の第２メッセージを受信する受信器であって，前記１又は複数の第２メッセージは，前記ターゲット無線接続ネットワーク要素を介して利用できるパケット交換リソース及び回線交換リソース双方の結合ハンドオーバを示す受信器と，
（ｉｉ）ターゲット無線接続ネットワーク要素として動作するとき，前記コアネットワークを介して前記ソース無線接続ネットワーク要素から前記１又は複数の第１メッセージを受信するために，前記無線接続ネットワーク要素が用いる前記受信器，及び前記コアネットワークを介して前記ソース無線接続ネットワーク要素へ前記１又は複数の第２メッセージを送信する前記送信器と，
を備えた無線接続ネットワーク要素と，
（ｂ）移動機であって，
（ｉ）前記ソース無線接続ネットワーク要素と前記移動機との間の無線インタフェースを介して，ソース無線接続ネットワーク要素として動作する前記無線接続ネットワーク要素から受信するハンドオーバコマンドメッセージに応答する受信器と，
（ｉｉ）前記結合ハンドオーバを実行するために，前記ターゲット無線接続ネットワーク要素と信号を交換する際に前記受信器と同時に用いる送信器と，
を備える移動機と，
を備えるシステム。
【請求項３３】
前記無線接続ネットワーク要素は，前記回線交換リソース及び前記パケット交換リソースの結合ハンドオーバを期限内だけ許可するタイマを更に備え，該期限後は前記回線交換リソースだけがハンドオーバされる請求項３２に記載のシステム。
【請求項３４】
回線交換リソースを移動機にハンドオーバするステップと，
前記の回線交換リソースハンドオーバと結合して，パケット交換リソースを前記移動機にハンドオーバするステップと，
を有するハンドオーバ方法。
【請求項３５】
前記回線交換リソースハンドオーバを前記のパケット交換リソースハンドオーバと並行して実行する請求項３４に記載の方法。
【請求項３６】
前記回線交換リソースハンドオーバを前記のパケット交換リソースハンドオーバと同時に実行する請求項３４に記載の方法。
【請求項３７】
前記回線交換リソースハンドオーバと結合して前記パケット交換リソースを前記移動機にハンドオーバする前記ステップを期限内だけ許可するステップを更に有し，該期限後は前記回線交換リソースだけハンドオーバするステップを有する請求項３４に記載の方法。
【請求項３８】
新サービス提供サポートノードから旧サービス提供サポートノードへ，強化サービス提供サポートノードコンテキストをダウンロードするために必要な複数のパラメータを含むコンテキスト要求メッセージを送信するステップを更に有する請求項３４に記載の方法。
【請求項３９】
ターゲット無線接続ネットワーク要素においてパケットフローコンテキストを生成するために，前記新サービス提供サポートノードから前記ターゲット無線接続ネットワーク要素へのメッセージによってパケットフローコンテキスト割当て情報を送信する請求項３８に記載の方法。
【請求項４０】
無線端末に提供されるリソースを有する無線通信ネットワークのハンドオーバシステムであって，
前記無線端末に回線交換リソースをハンドオーバする手段と，
前記の回線交換リソースハンドオーバと結合して，パケット交換リソースを前記無線端末にハンドオーバする手段と，
を備えるシステム。
【請求項４１】
前記回線交換リソースハンドオーバを前記のパケット交換リソースハンドオーバと並行して実行する請求項４０に記載のシステム。
【請求項４２】
前記回線交換リソースハンドオーバを前記のパケット交換リソースハンドオーバと同時に実行する請求項４０に記載のシステム。
【請求項４３】
前記回線交換リソースハンドオーバと結合することができる期限を設定する手段を更に備え，該期限後は前記回線交換リソースのハンドオーバだけを許可する請求項４０に記載のシステム。
【請求項４４】
ソース無線接続ネットワーク要素からターゲット無線接続ネットワーク要素へコアネットワークを介して１又は複数の第１メッセージを送信する送信器であって，前記１又は複数の第１メッセージは，回線交換リソース及びパケット交換リソース双方が，前記ソース無線接続ネットワーク要素から前記ターゲット無線接続ネットワーク要素へハンドオーバされることを示す送信器と，
前記ターゲット無線接続ネットワーク要素から前記コアネットワークを介して１又は複数の第２メッセージを受信する受信器であって，前記１又は複数の第２メッセージは，パケット交換及び回線交換結合ハンドオーバに対応する少なくとも１つのハンドオーバコマンドを示す受信器と，
を備える集積回路。
【請求項４５】
ソース無線接続ネットワーク要素からコアネットワークを介して１又は複数の第１メッセージを受信する受信器であって，前記１又は複数の第１メッセージは，回線交換リソース及びパケット交換リソース双方が，前記ソース無線接続ネットワーク要素からターゲット無線接続ネットワーク要素へハンドオーバされることを示す受信器と，
前記ソース無線接続ネットワーク要素が，該ソース無線接続ネットワーク要素と移動機との間の無線インタフェースを介してハンドオーバコマンドメッセージを前記移動機へ送信する前に，前記ターゲット無線接続ネットワーク要素から前記ソース無線接続ネットワーク要素へ前記コアネットワークを介して１又は複数の第２メッセージを送信する送信器であって，前記１又は複数の第２メッセージは前記１又は複数の第１メッセージの受信を肯定応答する送信器と，
を備える集積回路。
【請求項４６】
ソース無線接続ネットワーク要素として動作するとき，１又は複数の第１メッセージをコアネットワークを介してターゲット無線接続ネットワーク要素へ送信する送信器であって，前記１又は複数の第1メッセージは回線交換リソース及びパケット交換リソース双方が前記ソース無線接続ネットワーク要素から前記ターゲット無線接続ネットワーク要素へハンドオーバされることを示す送信器，及び前記コアネットワークを介して前記ターゲット無線接続ネットワーク要素から１又は複数の第２メッセージを受信する受信器であって，前記１又は複数の第２メッセージは，前記１又は複数の第１メッセージの受信を示す受信器と，
ターゲット無線接続ネットワーク要素として動作するとき，前記コアネットワークを介して前記ソース無線接続ネットワーク要素から前記１又は複数の第1メッセージを受信する前記受信器，及び前記ソース無線接続ネットワーク要素が前記ソース無線接続ネットワーク要素と移動機との間の無線インタフェースを介して結合ハンドオーバのためのハンドオーバコマンドを前記移動機へ送信する前に，前記コアネットワークを介して前記ソース無線接続ネットワーク要素へ前記１又は複数の第２メッセージを送信する前記送信器と，
を備える集積回路。
【請求項４７】
ソース無線接続ネットワーク要素として動作するとき，１又は複数の第１メッセージをコアネットワークを介してターゲット無線接続ネットワーク要素へ送信する送信手段であって，前記１又は複数の第1メッセージは回線交換リソース及びパケット交換リソース双方が前記ソース無線接続ネットワーク要素から前記ターゲット無線接続ネットワーク要素へハンドオーバされることを示す送信手段，及び前記コアネットワークを介して前記ターゲット無線接続ネットワーク要素から１又は複数の第２メッセージを受信する受信手段であって，前記１又は複数の第２メッセージは，前記１又は複数の第１メッセージの受信を示す受信手段と，
ターゲット無線接続ネットワーク要素として動作するとき，前記コアネットワークを介して前記ソース無線接続ネットワーク要素から前記１又は複数の第１メッセージを受信する前記受信手段，及び前記ソース無線接続ネットワーク要素が前記ソース無線接続ネットワーク要素と移動機との間の無線インタフェースを介して結合ハンドオーバのためのハンドオーバコマンドを前記移動機へ送信する前に，前記コアネットワークを介して前記ソース無線接続ネットワーク要素へ前記１又は複数の第２メッセージを送信する前記送信手段と，
を備える無線接続ネットワーク要素。
【請求項４８】
前記のターゲット無線接続ネットワーク要素として動作する場合は，前記１又は複数のメッセージのうち最初のメッセージに応答して期限の測定を開始するために用いる手段であって，前記期限に到達する前に，前記コアネットワークを介して前記ソース無線接続ネットワーク要素から前記１又は複数の第１メッセージのうち２番目のメッセージを受信することを前記結合ハンドオーバの実行条件とする手段を更に備える請求項４７に記載の無線接続ネットワーク要素。
【請求項４９】
前記のソース無線接続ネットワーク要素として動作する場合は，前記ターゲット無線接続ネットワーク要素から前記コアネットワークを介して前記１又は複数の第２メッセージのうち最初のメッセージを受信することに応答して，第２の期限の測定を開始するために用いる手段であって，その期限以降前記ソース無線接続ネットワーク要素が前記コアネットワークを介して前記ターゲット無線接続ネットワーク要素へ前記１又は複数の第１メッセージを繰り返し送信する手段を更に備える請求項４８に記載の無線接続ネットワーク要素。
【請求項５０】
移動機であって，
ソース無線接続ネットワーク要素と前記移動機との間の無線インタフェースを介して前記ソース無線接続ネットワーク要素からハンドオーバコマンドメッセージを受信する手段と，
ハンドオーバを実行するために，前記の受信手段と共にターゲット無線接続ネットワーク要素と信号を交換する手段と，
を備え，前記ハンドオーバコマンドメッセージの受信に先立って，
（ａ）前記ソース無線接続ネットワーク要素がコアネットワークを介して前記ターゲット無線接続ネットワーク要素へ，回線交換リソース及びパケット交換リソース双方が前記ソース無線ネットワーク要素から前記ターゲット無線ネットワーク要素へハンドオーバされることを示す１又は複数のハンドオーバ必須メッセージを送信し，（ｂ）前記ターゲット無線接続ネットワーク要素が，前記コアネットワークに前記１又は複数のハンドオーバ必須メッセージの受信を示す１又は複数の肯定応答メッセージを送信する移動機。
【請求項５１】
前記１又は複数のハンドオーバ必須メッセージの，前記コアネットワークを介して前記ターゲット無線接続ネットワーク要素への送信と，パケット交換リソース及び回線交換リソース双方が前記結合ハンドオーバのために利用可能であることを示す，１又は複数のハンドオーバコマンドメッセージの前記コアネットワークから前記ターゲット無線接続ネットワーク要素を介した受信と，の間で測定される期限内に結合ハンドオーバが実行され，該期限後は前記結合ハンドオーバは実行されず，前記回線交換リソースだけが実行される請求項５０に記載の移動機。